(57)【要約】【課題】  デジタルビデオ信号の画像ジッタを防止すること。【解決手段】  本発明は、アナログ入力信号からデジタルビデオ信号を生成する方法を提案する。その方法は、アナログ入力ビデオ信号が、規格と完全に対応しないとき、デジタル化されたビデオ信号における画像ジッタを防止する。  本発明によると、方法は、  信号源のタイプを検出し（１）、  信号源のタイプが、規格外である場合、エラー状態の存在を検出し（２）、  アナログ入力ビデオ信号をデジタルビデオ信号に変換し（３）、  エラー状態が存在する場合、デジタル化されたビデオ信号のエラーになりがちな部分を代わりの信号部分と置き換え（４）、  信号源のタイプが、規格タイプである場合又はエラー状態が存在しない場合、デジタル化されたビデオ信号をそのままにしておく、というステップを含む。【選択図】  図４
2006054862.tif 000002
【特許請求の範囲】
【請求項１】
アナログ入力ビデオ信号からデジタルビデオ信号を生成する方法であって、
信号源のタイプを検出し（１）、
前記信号源のタイプが、規格外である場合、エラー状態の存在を検出し（２）、
前記アナログ入力ビデオ信号をデジタルビデオ信号に変換し（３）、
エラー状態が存在する場合、デジタル化されたビデオ信号のエラーになりがちな部分を代わりの信号部分と置き換え（４）、
前記信号源のタイプが規格タイプである場合又はエラー状態が存在しない場合、前記デジタル化されたビデオ信号をそのままにしておく、
というステップを含むことを特徴とする方法。
【請求項２】
前記規格外のタイプの信号源が、テープの再生又は記録用の装置であることを特徴とする請求項１に記載の方法。
【請求項３】
前記エラー状態は、前記信号源のトリックモードであることを特徴とする請求項１または２のいずれか一項に記載の方法。
【請求項４】
前記アナログ入力ビデオ信号が、ＣＶＢＳ信号であることを特徴とする請求項１から３のいずれか一項に記載の方法。
【請求項５】
前記デジタル化されたビデオ信号が、ＩＴＵ６５６信号であることを特徴とする請求項１から４のいずれか一項に記載の方法。
【請求項６】
前記デジタル化されたビデオ信号のエラーになりがちな部分が、ヘッダのフィールドビットであることを特徴とする請求項５に記載の方法。
【請求項７】
安定したタイミングを有するビデオコンバータの内部信号が、前記フィールドビットを置き換えることに利用されることを特徴とする請求項６に記載の方法。
【請求項８】
前記フィールドビットを置き換えるために、前記フィールド全体が、決められた数のライン分だけシフトされることを特徴とする請求項７に記載の方法。
【請求項９】
前記決められた数のラインが、調節可能であることを特徴とする請求項８に記載の方法。
【請求項１０】
アナログビデオ信号を受信するための入力と、受信したアナログビデオ信号をデジタル化する手段とを備える、デジタルビデオ信号を受信及び／又は記録する装置であって、
前記受信したアナログビデオ信号からデジタルビデオ信号を生成する請求項１から９のいずれか一項に記載の方法を実行することを特徴とする装置。
【発明の詳細な説明】
【技術分野】
【０００１】
本発明は、アナログ入力ビデオ信号からデジタルビデオ信号を生成する方法に関し、そのような方法を使用してアナログ入力ビデオ信号をデジタル化する手段を備える装置に関する。
【背景技術】
【０００２】
ＨＤＤレコーダやＤＶＤレコーダのような、デジタル記憶デバイスは、通常アナログビデオ入力及びアナログビデオ出力を有する。しかし、ビデオ信号は、ＭＰＥＧ圧縮などのような処理をするために、内部でデジタル化される。入力アナログビデオ信号は、デジタル処理又は圧縮が行われる前に、８、９又は１０ビットのＡＤＣ（アナログ・デジタル・コンバータ）を用いて、最初にデジタル化される。ＡＤＣは以下ビデオコンバータと呼ばれる。デジタル化されたビデオ信号は、一般に、ＩＴＵ  Ｒ−６５６規格に対応する。処理されたビデオ信号は、例えば、ＤＶＤ、ＶＣＤディスク、又はＤＶＨＳテープのような記録媒体に記憶され得る。処理されたビデオ信号はまた、ＭＰＥＧデコーディング後に、直接表示され得る。この目的のために、デジタル化されたビデオ信号は、ＤＡＣ（デジタル・アナログ・コンバータ）を用いて、アナログビデオ信号に再び変換される。
【０００３】
これに関連して、米国特許第６，３００，９８５号明細書に、通常のアナログＣＶＢＳ信号をシリアル・デジタル・インターフェース出力信号に変換する方法が記載されている。
【０００４】
規格（ＰＡＬ用のＩＴＵ−Ｒ  ＢＴ６２４、ＮＴＳＣ用のＳＭＰＴＥ  １７０Ｍ等）と対応するアナログ入力ビデオ信号があると機能するＩＣを使用して、アナログ・デジタル・コンバータが、実行される。しかし、例えば、（一時停止や早送りのような）トリックモードのＶＣＲからアナログ入力ビデオ信号が入ってくる場合、時にはアナログ入力ビデオ信号が規格と完全に対応しないこともある。これらの場合、例えば、フィールド（上位フィールド、下位フィールド）が取り違えられる。ＡＤＣのＩＣは、それでもなおデジタルビデオ信号を生成するが、この信号は、エラーを含む。
【０００５】
アナログ入力ビデオ信号が、ＮＴＳＣ及びＰＡＬのような規格と完全に対応する場合、テレビに表示されるエンコードされた及びデコードされたビデオ信号は、正常である。これは、インタレースされたフィールドシーケンスが、正しく表示され、画像のジッタがないことを意味する。
【０００６】
しかし、アナログ入力ビデオ信号が、ビデオ規格に完全に対応しないとき、デジタル化されたビデオ信号は、不完全になり、第１のフィールド及び第２のフィールドが誤ったシーケンスで表示されるとき、ジッタのある画像のような欠陥が生じる。
【発明の開示】
【発明が解決しようとする課題】
【０００７】
本発明の目的は、アナログ入力ビデオ信号が、規格と完全に対応しない場合に、デジタル化されたビデオ信号の画像ジッタを防ぎ、アナログ入力ビデオ信号からデジタルビデオ信号を生成する方法を提案することである。
【課題を解決するための手段】
【０００８】
本発明によれば、この目的は、アナログ入力ビデオ信号からデジタルビデオ信号を生成する方法により達成され、その方法は、
信号源のタイプを検出し、
信号源のタイプが、規格外のタイプである場合、エラー状態の存在を検出し、
アナログ入力ビデオ信号をデジタルビデオ信号に変換し、
エラー状態が存在する場合に、デジタル化されたビデオ信号のエラーが起こりがちな部分を代わりの信号部分に置き換え、
信号源のタイプが、規格タイプの場合又はエラー状態が存在しない場合には、デジタル化されたビデオ信号をそのままにしておく、
というステップを含む。
【０００９】
アナログ入力ビデオ信号をデジタル化する前に、その信号が、規格外のタイプの発信源、例えばＶＣＲから入ってくるかどうかが判断される。テレビ放送局又はＤＶＤから信号を受信するならば、当然エラーのないことが期待される。つまり、規格外の信号源が、エラーの起こりそうな状態にあるならば、エラー状態の存在がチェックされる。例えば、ＶＣＲに起こり得るエラー状態は、一時停止又は早送り、巻戻しのような、トリックモードである。そのようなエラー状態が存在するならば、デジタル化されたビデオ信号のエラーが起こりがちな部分は、代わりの信号部分と置き換えられる。例えば、ＣＶＢＳ信号を配信するトリックモードのＶＣＲに関して、デジタル化された（ＩＴＵ６５６）ビデオ信号内の特に第１／第２のフィールドに関する情報が、アナログ入力ビデオ信号の規格外のタイミング信号により、妨げられることがわかる。フィールド情報を修正するために、所定のプレースホルダが、デジタル化されたビデオ信号に挿入される。この所定のプレースホルダは、ほとんどの場合又は全ての場合において、誤りのないように決められる。好ましくは、安定したタイミングを有するビデオコンバータの内部信号が、フィールドビットを置き換えるために使用される。この目的のために、好ましくは、フィールド全体が、決められた数のライン分だけ、シフトされる。この方法を異なる規格外のタイプの信号源に適合するため、決められた数のラインが、ユーザにより又は自動的に調整される。信号源のタイプが規格タイプである場合、又はエラー状態が存在しない場合、デジタル化されたビデオ信号は、そのままにされる。「安全な」アナログ入力ビデオ信号、つまり、おそらくエラーがないであろう信号には、このような置き換えが予想外のエラーを引き起こし得るので、置き換えを行う必要がない。上述のステップが、好ましくは、絶えず繰り返される。
【００１０】
本発明は、例えば、トリックモードのＶＣＲからのような、わずかにひずみのあるアナログ入力ビデオ入力信号の場合でさえ、結果として生じるデジタルビデオ信号にエラーがないという利点を有する。もちろん、本発明は、信号源としてＶＣＲに限定されるわけではない。記録媒体としてテープを使用する、例えば、ビデオカメラ又は規格外のアナログビデオ信号を配信する他のデバイスのような他のタイプの発信源にも同様に適用できる。
【００１１】
好ましくは、本発明による方法は、デジタルビデオ信号を受信する及び／又は記録する装置で使用され、その装置は、アナログビデオ信号を受信する入力と、受信したアナログビデオ信号をデジタル化する手段とを備える。
【００１２】
本発明は、よりよく理解するために、図を参考にして以下の説明の記載において、より詳細に説明される。本発明は、典型的な実施形態に限定されるのではなく、本発明の範囲に反することなく、特定の特徴もまた、便宜上、組み合わされ、及び／又は変更され得る。
【発明を実施するための最良の形態】
【００１３】
図１ａでは、垂直タイミング（Ｖタイミング）の瞬間における、誤りのない等化前のパルス、鋸歯状パルス及び等化後のパルスを有する、通常のＣＶＢＳアナログビデオ信号が示される。この信号の拡大部分が、図１ｂに示される。
【００１４】
ゆがんだアナログビデオ信号が、図２ａに示される。図２ｂは、この信号の拡大部分を示す。この実施例では、信号は、トリックモード、例えば、一時停止又は早送り／巻戻しモードで作動するＶＣＲから生じる。このような信号には、たいてい欠陥があり、規格外のライン長又は規格外の垂直同期信号のような複数のゆがみを示す。このことは、ＶＣＲがトリックモードのとき、出力ＣＶＢＳ信号のＶタイミングが、規格外になるということを意味する。この場合、ビデオコンバータは、Ｈ（水平）及びＶタイミングから適切なフィールド信号を生成できず、結果として生じるデジタルビデオ信号がジッタになる。図２の実施例では、約４ラインの遅延が、等化前パルスと鋸歯状パルスとの間にある。この追加的な遅延は、フィールド信号の生成を妨げる。
【００１５】
このようなジッタのあるデジタルビデオ信号が、図３ａに示される。これまでのように、図３ｂは、この信号の拡大部分を示す。描かれているのは、トリックモード（一時停止）中のフィールド信号（下位又は上位、イーブン又はオッドとも呼ばれる）と、通常モードのフィールド信号である。見て分かるとおり、フィールド信号が低いレベルの周期の継続時間Ｔでは、通常モードの期間とトリックモードの期間が同じである。しかし、フィールド信号が高いレベルの周期の継続期間では、トリックモードの期間が、遅延Δにより変化する。この特定の実施例では、下位フィールドの開始部分が、３ラインの遅延に対応する約１８０μｓだけシフトされる。従って、テレビ画面の画像の下位フィールドも、通常より３ライン遅く表示される。図では、フィールド信号の立下りが、トリガｔｒとして使用されている。
【００１６】
ジッタのあるビデオ信号を処理するため、第１のステップ１において、信号源のタイプが検出される。不要な又は誤った動作を避けるため、ビデオ信号の変更は、Ａ／Ｖ入力モードでのみ行われる。ＶＣＲと他のタイプの発信源とを区別する一つの可能性は、ビデオ信号のタイムベースを分析することである。ＶＣＲ信号は、安定しないタイムベースを有し、テレビ局又はＤＶＤプレーヤーから入って来る信号は、安定するタイムベースを有するので、この特徴が、信号源を検出することに利用される。入力信号が、安定しないタイムベースを有する場合、ＶＣＲから受信したものとみなされる。
【００１７】
アナログ入力ビデオ信号が、ＶＣＲから受信された場合、第２のステップ２において、そのＶＣＲがエラー状態かどうか、つまり、エラーを引き起こし易いトリックモードのような状態であるかどうかが分析される。たいていのＶＣＲでは、トリックモードにおいて、メイン・シグナル・プロセッサにより、Ｖｓｙｎｃ（垂直同期）が挿入される。一般に、この挿入されたＶｓｙｎｃの周波数は、規格外である。このことは、Ｖｓｙｎｃの周波数が特定領域の範囲外と決定されれば、ＶＣＲはトリックモードであるということを意味する。
【００１８】
次のステップ３では、アナログ入力ビデオ信号が、デジタル化される。アナログ入力ビデオ信号がＶＣＲから受信されない場合、又は信号が通常モードで作動しているＶＣＲから受信される場合、デジタル化３の後、デジタル化されたビデオ信号は、修正を行う必要がないので、変更されない。実際、不要な修正は、所望しないエラーを生み出してしまう。しかし、もし入力信号がトリックモードで作動しているＶＣＲから入って来ているならば、デジタル化３の後、更なるステップ４において、デジタル化された信号のエラーになりがちな部分を、代わりの信号部分と置き換える。
【００１９】
ＩＴＵ６５６の規格によれば、ＳＡＶ／ＥＡＶのヘッダのビット６が、フィールドを示す。
【表１】
2006054862.tif 000003
【００２０】
ビデオコンバータの多くは、安定したタイミングを有する内部信号（例えばＶｇａｔｅ）を提供する。この信号は、ＳＡＶ／ＥＡＶのヘッダのフィールドビットを置き換えることに使用される。この置き換えは、ビデオコンバータのレジスタのセッティングを変更することにより行われる。
【００２１】
最終ステップ５では、デジタル化されたビデオ信号が、ＭＰＥＧコーディングなどのような、更なる処理に送り出される。上記のステップが、好ましくは絶えず繰り返される。
【００２２】
フィールドビットを置き換えるということは、好ましくは、一定数のラインの分だけ、例えば３ラインだけ、フィールド全体をシフトすることを意味する。内部信号の値（Ｖｇａｔｅ）は、通常、プログラム可能である。従って、信号は、安定するようにプログラムされ得る。例えば、信号が、１ライン分だけ遅延されてもよい。信号の開始点は、上位から下位への移行である。上記の実施例の約１８０μｓの遅延では、３ライン分だけ逆シフトが行われている。
【００２３】
好ましくは、画像ジッタを防止するこの方法を使用するデバイスは、ユーザにより調整が可能である。ユーザは、ジッタがなくなるまで、例えば、３、４又は５ラインというように、異なる数のライン分だけ、遅延を調整し得る。一つのアナログ入力ビデオ信号の発信源だけが使用される場合でも、例えば、発信源が他のデバイスに記録されたテープを使用する場合でも、異なる遅延値は、都合が良い。このような場合、より大きな遅延値が、ジッタを低減するために必要とされ得る。
【図面の簡単な説明】
【００２４】
【図１】通常のＣＶＢＳアナログビデオ信号を示す。
【図２】トリックモードのＶＣＲによる、ゆがんだアナログビデオ信号出力を示す。
【図３】トリックモードにより生じたジッタのあるデジタルビデオ信号を示す。
【図４】本発明による方法のフローチャートを示す。
【符号の説明】
【００２５】
１  信号源の検出
２  エラー状態の検出
３  ビデオ信号のデジタル化
４  デジタル化されたビデオ信号の修正
５  デジタル化されたビデオ信号の処理
【図１】
2006054862.tif 000004
【図２】
2006054862.tif 000005
【図３】
2006054862.tif 000006
【図４】
2006054862.tif 000007
【外国語明細書】
2006054862.tif 000008
2006054862.tif 000009
2006054862.tif 000010
2006054862.tif 000011
2006054862.tif 000012
2006054862.tif 000013
2006054862.tif 000014
2006054862.tif 000015
2006054862.tif 000016
2006054862.tif 000017
2006054862.tif 000018
2006054862.tif 000019
2006054862.tif 000020